(57)【要約】【課題】被筆記媒体を活用し易い状態で携帯可能な被筆記媒体携帯具を提供する。【解決手段】被筆記媒体束をその上面に載せる台座及び該被筆記媒体束の台座からの落下を防ぐストッパ部材を含むベース部と、このベース部を被取付体に固定するための取付部と、を備え、この取付部が、アーム部、及び、上記台座の外縁の一部に設けられ、当該アーム部を上記ベース部に接続させる接続部を有し、当該アーム部と台座の外縁との間に上記被取付体を挟持固定することにより携帯可能とする被筆記媒体携帯具。【選択図】図１
2010166957.tif 000002
【特許請求の範囲】
【請求項１】
被筆記媒体束をその上面に載せる台座、及び該被筆記媒体束の台座からの落下を防ぐストッパ部材を有するベース部と、
前記ベース部を被取付体に固定するための取付部と
を備え、
前記取付部は、アーム部、及び、前記台座の外縁の一部に設けられ、該アーム部を前記ベース部に接続させる接続部を有し、該アーム部と前記台座の外縁との間に前記被取付体を挟持固定することにより携帯可能とする
ことを特徴とする被筆記媒体携帯具。
【請求項２】
前記ストッパ部材は、前記台座の周縁部に立設された、複数の突起及び中央部から両端に向けて徐々に高くなる形状を有する複数の壁体の少なくとも一方で形成される
ことを特徴とする請求項１に記載の被筆記媒体携帯具。
【請求項３】
前記取付部は、前記接続部及びアーム部をそれぞれ２つずつ有し、
前記各接続部は、前記台座の外縁の対向する位置にそれぞれ設けられ、
前記各アーム部は、前記各接続部にそれぞれ接続され、前記各アーム部により形成される平面が前記台座と同一平面となるように設けられており、前記被取付体を前記台座の外縁との間にそれぞれ挟持固定する
ことを特徴とする請求項１又は２に記載の被筆記媒体携帯具。
【請求項４】
前記各アーム部は、各接続部を支点として前記台座の上面から底面方向にそれぞれ変形可能に形成される
ことを特徴とする請求項３に記載の被筆記媒体携帯具。
【請求項５】
前記各アーム部は、前記台座との間の各隙間の一部が他の隙間部分よりも幅広となるような溝をそれぞれ含み、これら各溝により前記被取付体をそれぞれ固定する
ことを特徴とする請求項３又は４に記載の被筆記媒体携帯具。
【請求項６】
前記各アーム部は、前記台座の外周一部を内包するように、前記各接続部との接続端とは逆の端でそれぞれ接続される
ことを特徴とする請求項３から５のいずれか１項に記載の被筆記媒体携帯具。
【請求項７】
前記台座は、弾性体であり、中央部が最頂部となり両側に向かって徐々に傾斜する底面を有し、この傾斜方向に直行する方向に複数のスリットを有する
ことを特徴とする請求項１から６のいずれか１項に記載の被筆記媒体携帯具。
【発明の詳細な説明】
【技術分野】
【０００１】
本発明は、被筆記媒体を携帯するための技術に関する。
【背景技術】
【０００２】
現在、付箋紙は、メモを書きとめ、そのメモを一時的に書類、書籍等に貼り付けることができるため、便利なツールとして多くの場面で活用されている。例えば、付箋紙は、電話の取次ぎや連絡事項等のような伝言メモとして利用されたり、書類の重要頁の目印として利用されたりしている。また、医療現場において、医師と看護師との間で様々な情報を伝達するためにこの付箋紙が利用される場合もある。
【０００３】
以下の文献は、上記付箋紙やメモ帳のような被筆記媒体の有用性を向上させる技術を開示する。
【先行技術文献】
【特許文献】
【０００４】
【特許文献１】特開２００６−２４０２９０号公報
【特許文献２】特開２００２−３０８３５３号公報
【発明の概要】
【発明が解決しようとする課題】
【０００５】
付箋紙やメモ帳のような被筆記媒体を利用するユーザは、必要な時、必要な場所で即座に書き込めるように当該被筆記媒体を筆記具と共にポケット等に携帯する場合がある。しかしながら、ポケット等に入れてそれら被筆記媒体を持ち運ぶ場合には、ポケットのかさばりが気になったり、取り出し難いといった問題が生ずる。
【０００６】
また、自分自身の備忘録や伝達事項等を手の甲に直接記入する習慣が日常化されており、確実性が確保されるとは言い難い。
【０００７】
本発明の目的は、このような問題点に鑑み、被筆記媒体を活用し易い状態で携帯可能な被筆記媒体携帯具を提供することにある。
【課題を解決するための手段】
【０００８】
本発明の態様では、上述した課題を解決するために、以下の構成を採用する。すなわち、本発明の態様は、被筆記媒体束をその上面に載せる台座及び該被筆記媒体束の台座からの落下を防ぐストッパ部材を含むベース部と、このベース部を被取付体に固定するための取付部と、を備え、この取付部が、アーム部、及び、上記台座の外縁の一部に設けられ、当該アーム部を上記ベース部に接続させる接続部を有し、当該アーム部と台座の外縁との間に上記被取付体を挟持固定することにより携帯可能とする被筆記媒体携帯具である。
【０００９】
この態様に係る被筆記媒体携帯具は、ベース部の台座の上面に被筆記媒体束を落下しないように保持し、このベース部に接続される取付部のアーム部と台座の外縁との間に被取付体を挟持固定することで携帯可能にする。被取付体は、例えば、バンドのように腕等に装着される装着体やポケット等の衣類の一部である。被筆記媒体は、筆記可能な媒体であればどのような媒体であってもよく、例えば、付箋紙、メモ用紙などである。
【００１０】
この態様に係る被筆記媒体携帯具により、当該被取付体を衣類の一部に有するユーザ或いは当該被取付体を身体に装着するユーザは、被筆記媒体束を携帯することができる。
【００１１】
上記態様において好ましくは、上記ストッパ部材が、台座の周縁部に立設された、複数の突起及び中央部から両端に向けて徐々に高くなる形状を有する複数の壁体の少なくとも一方で形成される。
【００１２】
これにより、台座の上面に置かれた被筆記媒体束は、複数の壁体の内壁及び複数の突起の少なくとも一方により落下が防止され、当該ベース部に保持される。更に、ストッパ部材を形成する壁体は中央部から両端に向けて徐々に高くなる形状を有するため、当該被筆記媒体の積層枚数が少ない場合であっても、利用者は、両端より低い中央部から取得するようにすれば被筆記媒体を容易に取り出すことが可能である。
【００１３】
上記態様において好ましくは、上記取付部が、接続部及びアーム部をそれぞれ２つずつ有し、上記各接続部が、台座の外縁の対向する位置にそれぞれ設けられ、上記各アーム部は、各接続部にそれぞれ接続され、各アーム部により形成される平面が台座と同一平面となるように設けられており、被取付体を台座の外縁との間にそれぞれ挟持固定するように構成する。
【００１４】
この構成によれば、被取付体が台座外縁の少なくとも２箇所で挟持されるため、被取付体と被筆記媒体携帯具とが確実に固定される。ひいては、当該被取付体を衣類の一部に有するユーザ或いは当該被取付体を身体に装着するユーザは、被筆記媒体束をしっかりと保持された状態で携帯することができる。
【００１５】
上記態様において好ましくは、上記各アーム部は、各接続部を支点として台座の上面から底面方向にそれぞれ変形可能に形成される。
【００１６】
この構成によれば、被取付体を各アーム部とベース部との間に挿入し易くなり、被取付体を台座の外縁との間に挟み固定させるまでの過程が容易になる。
【００１７】
上記態様において好ましくは、各アーム部が、台座との間の各隙間の一部が他の隙間部分よりも幅広となるような溝をそれぞれ含み、これら各溝により被取付体をそれぞれ固定するように構成する。
【００１８】
この構成によれば、被取付体が所定の厚さを持つ場合であっても各アーム部に設けられた溝の部分で当該被取付体を挟持することが可能であり、かつ、当該被取付体のずれを防ぐこともできる。
【００１９】
上記態様において好ましくは、上記各アーム部が、台座の外周一部を内包するように、各接続部との接続端とは逆の端でそれぞれ接続されるように構成する。
【００２０】
この構成によれば、各アーム部は繋がっているため、この繋がったアーム部と台座との間に形成される隙間を利用して被取付体を取り付けることも可能となる。
【００２１】
上記態様において好ましくは、上記台座が、弾性体であり、中央部が最頂部となり両側に向かって徐々に傾斜する底面を有し、この傾斜方向に直行する方向に複数のスリットを有するように構成する。
【００２２】
この構成によれば、台座の底面を身体の一部に接するように固定する場合に、当該底面が曲面となっているため、腕などの曲面にも被筆記媒体携帯具を装着し易くなる。更に、台座は、弾性体でありかつスリットを有しているため、底面の反りを一層深くすることができる。これにより、被筆記媒体携帯具は被装着体に一層フィットするようになる。
【００２３】
また、上記態様において好ましくは、台座に設けられたスリットを利用することによりベース部に少なくとも１つの仲介媒体保持具を保持し、被筆記媒体束に仲介媒体を固定させ、当該仲介媒体に設けられた係止部に当該仲介媒体保持具を係止することにより、被筆記媒体束と本体とを固定させるようにしてもよい。このように構成すれば、被筆記媒体束を当該ベース部に確実に固定させることができるため、被筆記媒体束の落下防止を一層強化することができる。
【発明の効果】
【００２４】
上記本発明の態様によれば、被筆記媒体を活用し易い状態で携帯可能な被筆記媒体携帯具を提供することができる。
【図面の簡単な説明】
【００２５】
【図１】実施例１の付箋紙ホルダの斜視図。
【図２Ａ】本体部１０の平面図。
【図２Ｂ】本体部１０の正面図。
【図２Ｃ】本体部１０の背面図。
【図２Ｄ】本体部１０の右側面図。
【図２Ｅ】本体部１０の左側面図。
【図２Ｆ】本体部１０の底面図。
【図３】実施例１の付箋紙ホルダに付箋紙を設置した状態を示す斜視図。
【図４】図２Ａに示される本体部１０をＸ−Ｘ線で切断した場合の断面図。
【図５】実施例１における付箋紙ホルダの装着例を示す図。
【図６】実施例２における付箋紙ホルダの装着例を示す図。
【図７】実施例３における付箋紙ホルダの装着例を示す図。
【図８】実施例４における付箋紙ホルダへの仲介部材保持具の取り付け例を示す斜視図。
【図９】実施例４における付箋紙束への仲介部材及び仲介部材保持具の取り付け例を示す図
【発明を実施するための形態】
【００２６】
以下、実施形態としての付箋紙ホルダについて具体例を挙げ説明する。本実施形態で例に挙げる付箋紙ホルダは、付箋紙束を携帯するための器具である。付箋紙束は、矩形状の付箋紙が長手方向の一端の裏面に塗布された粘着剤を介して剥離自在に積層されて形成される。なお、本発明は、携帯する対象を付箋紙に限定するものではなく、筆記される媒体がまとめられた物であれば、紙媒体でなくてもよいし、粘着剤が塗布されていなくてもよいし、いずれの形状でもよい。以下に挙げた各実施例はそれぞれ例示であり、本開示は以下の各実施例の構成に限定されない。
【実施例１】
【００２７】
以下、実施形態としての付箋紙ホルダの実施例１について説明する。
【００２８】
図１は、実施例１の付箋紙ホルダの斜視図である。実施例１の付箋紙ホルダ１は、本体部１０、本体部１０に取り付けられるバンド５から構成される。バンド５は、所定幅でリング形状を有し、適度な伸縮性を有するゴム等の材質で形成される。本発明は、このバンド５の材質、形状を限定するものではないため、バンド５は身体に装着し易い形状及び材質が採用されていればよい。付箋紙ホルダ１は、例えば、バンド５を腕にはめることにより腕に装着される。
【００２９】
図２Ａ、２Ｂ、２Ｃ、２Ｄ、２Ｅ、２Ｆは、本体部１０の平面図、正面図、背面図、右
側面図、左側面図、底面図である。図３は、実施例１の付箋紙ホルダ１に付箋紙束を設置した状態を示す斜視図である。本体部１０は、ベース部１１、取付部１７を有し、柔軟性のある、プラスチック等の合成樹脂等で形成される。
【００３０】
ベース部１１は、長方形の短辺の一辺が曲線となった板状の台座１２を有する。図３に示すように台座１２の上面には付箋紙束４０が設置される。台座１２の上面の周縁には、正面から、突起１５と、側壁体１３ａ及び１３ｂと、背壁体１４とが立設される。突起１５、側壁体１３ａ及び１３ｂ、背壁体１４は、付箋紙束４０が滑ること及び落下することを防止するストッパとして作用する。図３の例では、付箋紙束４０は、側壁体１３ａ及び１３ｂ、並びに背壁体１４の内壁面に接し支持されている。付箋紙束４０は、その台紙の裏面に両面テープのような粘着剤を有する媒体を付し、この媒体を介して台座１２の上面に貼り付けられるようにしてもよい。
【００３１】
側壁体１３ａ及び１３ｂは、図２Ｄ及び２Ｅに示すように、中央部から背面及び正面の両端に向けて徐々に高くなるように形成される。この形状により、付箋紙が剥がされて付箋紙の積層が少なくなり付箋紙束４０が低くなった場合でも、側壁体１３ａ及び１３ｂは、付箋紙束４０をユーザに扱い易い状態で支持する。具体的には、付箋紙束４０が低くなった場合であっても、側壁体１３ａ及び１３ｂは、両端の高い内壁で付箋紙束４０との当接面積を広く保ちながら、低い中央部分で付箋紙を扱い易くしている。ユーザは、側壁体１３ａ及び１３ｂの中央部分から指を入れることで容易に付箋紙を取り出すことができる。
【００３２】
背壁体１４は、台座１２の短辺（背面の辺）に立設され、側壁体１３ａ及び１３ｂの各一端とその両端で接続される。背壁体１４は、図２Ｂ及び２Ｃに示されるように、その両端において側壁体１３ａ及び１３ｂの各一端と同じ高さを持ち、この両端から幅方向の中央部に向けて低くなる。背壁体１４の傾斜は、側壁体１３ａ及び１３ｂの傾斜よりも大きく、中央部の高さは側壁体１３ａ及び１３ｂよりも低く形成される。
【００３３】
突起１５は、台座１２の曲線辺（正面の辺）に沿って所定の間隔で台座１２の上面に設けられる。具体的には、図２Ａに示すように、突起１５ａが曲線辺の最前部に設けられ、突起１５ｂ及び１５ｃが突起１５ａを挟んで幅方向の両側に所定間隔を空けて設けられ、突起１５ｄ及び１５ｅが突起１５ａ、１５ｂ及び１５ｃを挟んで幅方向の両側に所定間隔空けて設けられる。突起１５ｂ及び１５ｃは、正面から突起１５ａの次の列を形成し、突起１５ｄ及び１５ｅは、正面から突起１５ｂ及び１５ｃの次の列を形成する。このような形態により、付箋紙束４０はいずれかの突起１５に引っ掛かれば滑り止めとなる。
【００３４】
このように、突起１５及び背壁体１４は、ベース部１１において正面から背面及び背面から正面に向かう両方向のストッパとして作用する。ここで、図２Ｂ及び２Ｃに示されるように、突起１５の高さは、背壁体１４の中央部と略同様であり、側壁体１３ａ及び１３ｂの高さよりも低く形成される。これにより、突起１５及び背壁体１４を結ぶいずれか一方向を付箋紙をめくる方向と同じくすることで、ユーザにとって指を動かす上での障害がなくなるため、付箋紙をめくり易くすることができる。
【００３５】
台座１２は、図２Ｂ及び２Ｃに示すように、幅方向の両端が下方に反った湾曲形状の底面を有する。具体的には、台座１２の底面は、側壁体１３ａ及び１３ｂを結ぶ方向（幅方向）の中央部が最頂部となり両端に向かって徐々に下方に傾斜する形状を有する。これにより、付箋紙ホルダ１は、腕等のような曲面にその底面を当接させて装着される場合であっても、腕等に装着し易くなる。更に、台座１２には、正面から背面方向に伸びる複数のスリット２０が設けられている。これにより、ベース部１１では台座１２の湾曲形状を一層深い湾曲に変形させ易くなるため、身体にフィットさせ易く装着時の安定性を向上させ
ることができる。
【００３６】
取付部１７は、図２Ａに示すように、接続部１８ａ及び１８ｂでベース部１１と接続する。接続部１８ａ及び１８ｂは、側壁体１３ａ及び１３ｂの各外壁面の前方端にそれぞれ形成される。取付部１７は、接続部１８ａ及び１８ｂから背面方向にベース部１１との間に隙間を設けながら伸び、接続部１８ａ及び１８ｂから背面方向の範囲でベース部１１を内包する逆Ｕ字型形状を有する。以降、接続部１８ａ及び１８ｂからベース部１１を内包するように伸びる取付部１７の部分をアーム部と表記する。なお、取付部１７は、ベース部１１と一体成形されてもよいし、連結成形されてもよい。
【００３７】
更に、取付部１７のアーム部には、接続部１８ａ及び１８ｂからそれぞれベース部１１に沿って背面方向に伸びる各隙間の一部の幅が他の部分の隙間の幅よりも広くなるように形成された溝部１９ａ及び１９ｂが設けられる。バンド５を溝部１９ａ及び１９ｂに嵌めるように取り付ければ、アーム部の変形を抑えつつバンド５を本体部１０に固定させることができる。具体的には、バンド５は、その外周面の一部が台座１２の底面に接し、その内周面の２箇所がそれぞれ溝部１９ａ及び１９ｂに接し、溝部１９ａ及び１９ｂを介して取付部１７とベース部１１との間にその２箇所でそれぞれ挟まれることにより本体部１０に取り付けられる。溝部１９ａ及び１９ｂは、バンド５の正面及び背面の両方向の滑りを防止する。
【００３８】
また、取付部１７は、柔軟性のある弾性部材で形成されている。よって、アーム部は、接続部１８ａ及び１８ｂを支点として台座上面から底面方向及び底面から上面方向に変形可能となっている。これにより、取付部１７を底面方向に引き下げることにより取付部１７とベース部１１の底面との間にバンド５が挿入し易くなっている。
【００３９】
また、取付部１７は、図２Ｄ及び２Ｅに示されるように、その厚みが、背面から正面の接続部１８ａ及び１８ｂへ向けて徐々に厚くなるように形成される。すなわち、取付部１７では、接続部１８ａ及び１８ｂの厚みがその他のアーム部よりも厚くなっている。これにより、アーム部を接続部１８ａ及び１８ｂを支点として変形させた場合であってもアーム部と接続部１８ａ及び１８ｂとの接続箇所が破損することを防止することができる。
【００４０】
また、取付部１７の一部及び台座１２の底面には、図２Ｆに示すように幅方向に縞模様の凹凸が設けられる。これにより、本体部１０の底面とこの底面に接する被装着体との間の前後のすべりが防止される。よって、実施例１の付箋紙バンド１は、身体に確実に固定することができる。
【００４１】
図４は、図２Ａに示される本体部１０をＸ−Ｘ線で切断した場合の断面図である。図４に示されるように、Ｘ−Ｘ線が台座１２の中央部を通るため、ベース部１１の背壁体１４の断面が端の高さよりも低くなっている。また、台座１２においてもスリット２０を除いた部分が断面となっている。
【００４２】
図５は、実施例１における付箋紙ホルダの装着例を示す図である。ユーザは、上述のように本体部１０に取り付けられたバンド５を腕等に装着することで、本体部１０に落下しないように設置された付箋紙束４０を携帯することができる。上述したように、本体部１０の各部は、付箋紙束４０を扱い易くかつ身体に装着し易いように形成されているため、実施例１によれば、付箋紙束４０を活用し易い状態で携帯することができる。言い換えれば、実施例１における付箋紙ホルダは、瞬時に記入が可能となり、常に携行可能な大きさ、形状、装備を兼ね備える。
【実施例２】
【００４３】
図６は、実施例２における付箋紙ホルダの装着例を示す図である。
【００４４】
実施例２における付箋紙ホルダ６０は、実施例１の本体部１０のみで構成され、バンド５を必要としない。本体部１０の構成は実施例１と同様であるため、ここでは説明を省略する。実施例２における付箋紙ホルダ６０は、取付部１７とベース部１１との間にポケットの袋体６５を挟むことにより衣服に装着される。付箋紙ホルダ６０は、接続部１８ａ及び１８ｂにポケット袋体６５の上辺６７が掛かり保持される。取付部１７は、ポケット袋体６５の内部に収容される。
【００４５】
実施例２では、付箋紙束４０は、ポケット袋体６５の上下方向が付箋紙のめくる方向となるように設置されることが望ましい。付箋紙束４０は、ベース部１１の背壁体１４の内壁面で下方向の落下が防止され、側壁体１３ａ及び１３ｂの内壁面で図６の紙面上左右方向の滑りが防止される。
【００４６】
実施例２によれば、バンド５のような装着具を用いることなく、付箋紙束を衣服に利用しやすいように装着することができる。
【実施例３】
【００４７】
図７は、実施例３における付箋紙ホルダの装着例を示す図である。
【００４８】
実施例３における付箋紙ホルダ７０は、実施例１の本体部１０と装着体７１とから構成される。装着体７１は、例えば、ネックストラップや先端にクリップの付いたストラップ等の媒体である。装着体７１は、図７に示すように、取付部１７とベース部１１との間の隙間に通された状態で、身体に装着される。これにより、実施例３における付箋紙ホルダ７０は、ぶら下げ状態で携帯することができる。
【００４９】
実施例３によれば、付箋紙束４０は、ベース部１１の突起１５（図７の例では突起１５ｄ及び１５ｅ）で下方向の落下が防止され、側壁体１３ａ及び１３ｂの内壁面で図７の紙面上左右方向の滑りが防止される。
【００５０】
実施例３によれば、バンド５以外の装着具を用いても、付箋紙束を利用しやすいように携帯することができる。
【実施例４】
【００５１】
以下、実施例４における付箋紙ホルダについて図８及び９を用いて説明する。実施例４における付箋紙ホルダは、仲介部材及び仲介部材保持具により付箋紙束４０をベース部１１に固定する。図８は、実施例４における付箋紙ホルダへの仲介部材保持具の取り付け例を示す斜視図である。図９は、実施例４における付箋紙束への仲介部材及び仲介部材保持具の取り付け例を示す図である。
【００５２】
実施例４における付箋紙ホルダ８０は、上述の実施例１の付箋紙ホルダ１の構成に加えて、仲介部材保持具８１を有する。仲介部材保持具８１は、閉ループ形状を有する弾性体であり、例えば１本の輪ゴムで実現される。なお、仲介部材保持具８１の数は限定されない。
【００５３】
仲介部材保持具８１は、図８に示されるように、台座１２に設けられるいずれか１つのスリットを台座１２の上面から底面へ通され、他のスリットを台座１２の底面から上面へ通されることで、付箋紙ホルダ８０に保持される。図８の例では、仲介部材保持具８１のうち、台座１２の側壁体１３ａ側のスリットから上方に出ている部分を符号８１Ａで示し、他方の側壁体１３ｂ側のスリットから上方に出ている部分を符号８１Ｃで示し、台座１
２の底面側に位置する部分であって、ベース部１１の背壁体１４側で８１Ａ及び８１Ｃを繋ぐ部分を符号８１Ｄで示し、ベース部１１の前方で８１Ａ及び８１Ｃを繋ぐ部分を符号８１Ｂで示している。これにより、仲介部材保持具８１は、その部位８１Ｂ及び８１Ｄにより、台座１２の底面を背面側と前面側との２箇所で支える形態となる。
【００５４】
一方、図９に示されるように、付箋紙束４０には、仲介部材９１が取り付けられる。付箋紙束４０及び仲介部材９１は例えば粘着剤により接着される。仲介部材９１は、例えば、台紙として実現される。
【００５５】
仲介部材９１は、付箋紙束４０の底面から上面方向へ折り曲げることにより形成される背面仲介部９３と、これとは逆に折り曲げられることにより形成される２つの保持具取付部９４及び９５と、残りの部位である底面仲介部９６とを有する。ここでは、仲介部材９１の有する各部位が１つの部材を折り曲げることによりそれぞれ形成される例を示すが、各部位がそれぞれ別部材で形成され各部位が接合されて形成されるようにしてもよい。また、仲介部材９１は、紙材以外の他の材質で形成されるようにしてもよい。
【００５６】
保持具取付部９４及び９５は、仲介部材保持具８１を通すための穴及びその穴まで仲介部材保持具８１を誘導するために開口されたスリットを２つずつ有する（９７Ａ及び９７Ｂ、９８Ａ及び９８Ｂ）。図８に示すように付箋紙ホルダ８０に取り付けられた仲介部材保持具８１は、その台座１２の上方に出ている部位８１Ａ及び８１Ｃを、仲介部材９１の保持具取付部９４及び９５と底面仲介部９６との間にそれぞれ挟むようにして仲介部材９１に取り付けられる。仲介部材９１の保持具取付部９４では、穴９７Ａ及び９７Ｂにおいて仲介部材保持具８１の一部８１Ｃが係止され、保持具取付部９５では、穴９８Ａ及び９８Ｂにおいて仲介部材保持具８１の一部８１Ａが係止される。このとき、仲介部材９１の背面仲介部９３は、付箋紙ホルダ８０の背壁体１４の内壁面と付箋紙束４０の背面との間に位置し、仲介部材９１の保持具取付部９４及び９５並びに底面仲介部９５は、付箋紙ホルダ８０の台座１２の上面と付箋紙束４０の底面との間に位置することになる。
【００５７】
このように仲介部材９１及び付箋紙ホルダ８０に取り付けられた仲介部材保持具８１は、その部位８１Ａ及び８１Ｃで仲介部材９１を両サイドから付箋紙ホルダ８０方向へ引き付け、付箋紙ホルダ８０の台座１２の底面をその部位８１Ｂ及び８１Ｄで付箋紙束４０方向へ引き付けるように作用する。これにより、実施例４によれば、付箋紙束４０を付箋紙ホルダ８０に一層強固に固定することができる。また、実施例４によれば、新たに仲介部材保持具８１を用意さえすれば、付箋紙ホルダ４０に予め設けられた各部位を用いるだけで、上述のような効果を得ることができる。また、仲介部材保持具８１と仲介部材９１との取り付けは上述のように容易に行うことができるため、扱いが容易である。
【００５８】
なお、図９の例では、仲介部材９１に背面仲介部９３を設ける例を示したが、付箋紙束４０がその底面で仲介部材９１に固定され得るのであれば、背面仲介部９３を設けないようにしてもよい。また、付箋紙束４０が付箋紙ホルダ４０のベース部１１の全面から背面方向又はその逆方向へのずれ及び落下を防ぐために、背面仲介部９３を付箋紙束４０の前面側にのみ設けるようにしてもよいし、前面及び背面の両方に設けるようにしてもよい。
【符号の説明】
【００５９】
１、６０、７０、８０  付箋紙ホルダ
５  バンド
１０  本体部
１１  ベース部
１２  台座
１３ａ、１３ｂ  側壁体
１４  背壁体
１５、１５ａ、１５ｂ、１５ｃ、１５ｄ、１５ｅ  突起
１７  取付部
１８ａ、１８ｂ  接続部
１９ａ、１９ｂ  溝部
２０  スリット
４０  付箋紙束
６５  ポケット袋体
６７  ポケット袋体上辺
７１  装着体
８１Ａ、８１Ｂ、８１Ｃ、８１Ｄ  仲介部材保持具
９１  仲介部材
９３  背面仲介部
９４、９５  保持具取付部
９６  底面仲介部
９７Ａ、９７Ｂ、９８Ａ、９８Ｂ  穴
【図１】
2010166957.tif 000003
【図２Ａ】
2010166957.tif 000004
【図２Ｂ】
2010166957.tif 000005
【図２Ｃ】
2010166957.tif 000006
【図２Ｄ】
2010166957.tif 000007
【図２Ｅ】
2010166957.tif 000008
【図２Ｆ】
2010166957.tif 000009
【図３】
2010166957.tif 000010
【図４】
2010166957.tif 000011
【図５】
2010166957.tif 000012
【図６】
2010166957.tif 000013
【図７】
2010166957.tif 000014
【図８】
2010166957.tif 000015
【図９】
2010166957.tif 000016